(57)【要約】【課題】色ずれを防止しつつ、メモリ量を削減した駆動回路を提供する。【解決手段】本発明の駆動回路は、画像表示の原色毎に階調を電圧に変換する階調電圧データ変換部３と、現フレームの入力階調に対応する電圧、１フレーム前のフレーム終了時の階調に対応する電圧、およびこれらの電圧に基づきオーバーシュート駆動を行なう出力電圧、が対応付けて格納された通常ＬＵＴ１４と、通常ＬＵＴ１４を用いて出力電圧を求める通常ＯＳ演算部４と、通常ＯＳ演算部４にて求めた出力電圧を用いてオーバーシュート駆動を行った場合の現フレーム終了時の階調に対応する予測電圧が格納された予測ＬＵＴ１５と、予測ＬＵＴ１５を用いて予測電圧を求める予測ＯＳ演算部５と、予測ＯＳ演算部５にて求めた予測電圧を保持するフレームメモリ６と、通常ＯＳ演算部４は、画像表示の原色毎に出力電圧を求め、予測ＯＳ演算部５は、画像表示の原色毎に予測電圧を求める。【選択図】図１
2009116123.tif 000002
【特許請求の範囲】
【請求項１】
時分割された複数のフレームを用いてオーバーシュート駆動により画像表示を行なう液晶表示装置の駆動回路において、
画像表示の原色毎に階調を電圧に変換する変換部と、
現フレームの入力階調に対応する電圧、１フレーム前のフレーム終了時の階調に対応する電圧、およびこれらの電圧に基づきオーバーシュート駆動を行なう出力電圧、が対応付けて格納された第１テーブルと、
第１テーブルを用いて出力電圧を求める第１演算部と、
第１演算部にて求めた出力電圧を用いてオーバーシュート駆動を行った場合の現フレーム終了時の階調に対応する予測電圧が格納された第２テーブルと、
第２テーブルを用いて予測電圧を求める第２演算部と、
第２演算部にて求めた予測電圧を保持するフレームメモリと、を備えており、
第１演算部は、画像表示の原色毎に出力電圧を求め、第２演算部は、画像表示の原色毎に予測電圧を求めることを特徴とする駆動回路。
【請求項２】
第２演算部が原色毎に求めた予測電圧のうち、最も現フレームの階調に対応する電圧への到達割合が低い予測電圧の色を選択する選択部と、
選択部が選択した色の到達割合を求める第３演算部と、をさらに備え、
第１演算部は、選択部にて選択されていない色に対して、第３演算部にて求めた到達割合になるように出力電圧を補正し、
第２演算部は、選択部にて選択されていない色に対して、第３演算部にて求めた到達割合になるように予測電圧を補正する、ことを特徴とする請求項１に記載の駆動回路。
【請求項３】
時分割された複数のフレームを用いてオーバーシュート駆動により画像表示を行なう液晶表示装置の駆動回路において、
現フレームの入力階調、１フレーム前のフレーム終了時の階調、およびこれらの階調に基づきオーバーシュート駆動を行なう出力階調と、が対応付けて格納された第３テーブルと、
第３テーブルを用いて出力階調を求める第４演算部と、
第４演算部にて求めた出力階調を用いてオーバーシュート駆動を行った場合の現フレーム終了時の予測階調が格納された第４テーブルと、
第４テーブルを用いて予測階調を求める第５演算部と、
第５演算部にて求めた予測階調を保持するフレームメモリと、を備えており、
第４演算部は、画像表示の原色毎に出力階調を求め、第５演算部は、画像表示の原色毎に予測階調を求めることを特徴とする駆動回路。
【請求項４】
請求項１から３までのいずれか１項に記載の駆動回路を備えた液晶表示装置。
【発明の詳細な説明】
【技術分野】
【０００１】
本発明は、液晶表示装置の駆動回路に関し、特にオーバーシュート駆動を行なう駆動回路および駆動回路を備えた液晶表示装置に関するものである。
【背景技術】
【０００２】
一般的に、液晶の応答時間とは、液晶に階調電圧が印加されてから、所望する輝度が得られるまでの時間を示す。また、液晶の応答特性は、変化前の開始階調電圧と変化後の目標階調電圧に依存するため、変化前後の階調の組み合わせに応じて応答時間はそれぞれ異なる。
【０００３】
また、カラー表示が可能な液晶の画素部は、例えば原色成分のＲＧＢの各サブピクセルで構成されるが、表示データにより、ＲＧＢの階調は個別に定まり、必ずしも一致しないため、各サブピクセルに印加される階調電圧もＲＧＢで必ずしも一致しない。
【０００４】
つまり、カラー表示に際して、ＲＧＢの各サブピクセルで応答時間が必ずしも一致しないこととなり、その結果、開始階調から目標階調までの変化の過程で、本来想定していない色相の変化（色ずれ）が知覚されてしまうケースが発生してしまう。
【０００５】
この色ずれを防止する手段として、特許文献１には、液晶ディスプレイを駆動するオーバードライブコントローラにてＲＧＢの各サブピクセルにおける現輝度から目標輝度への遷移状態を把握する変化率Ｒｓｔ計算部と、把握された遷移状態の中で、遷移が最も遅いサブピクセルに対して輝度遷移を加速するための電圧を算出するオーバードライブ電圧算出部と、選択された他のサブピクセルに対し協調のために輝度遷移を加減速するための電圧を算出するための電圧を算出する実効輝度Ｙｓｔ’計算部及びＹｓｔ’オーバードライブ電圧算出部と、１フレーム後のキャパシタンス値を予測するキャパシタンス予測部と、を備え、スイッチ（ＳＷ）により切り替えて供給電圧を供給する手段が知らせている。
【０００６】
つまり、特許文献１は、ＲＧＢ各色にＬＵＴを持ち最も遅い色に合わせてＬＵＴを選択することで色ずれを防止する技術である。
【０００７】
さらに、特許文献２では、特許文献１をさらに改良し、応答時間を短縮した技術が開示されている。具体的な応答時間の短縮方法としては、色ずれが発生するかどうかを判別し、色ずれが発生すると判別した場合には、この色ずれを防止するための補正を施し、色ずれが発生しないと判別した場合には、通常通りオーバードライブ駆動を行なう。これにより、応答時間の短縮を図っている。つまり、特許文献２は、特許文献１の構成に加えてさらに、各階調毎に色ずれが生じているかを判定し、判定の正否によって応答速度優先のＬＵＴを採用するか、色ずれ低減優先のＬＵＴを採用するかを切り替えることによって、色ずれを低減しつつ応答速度の高速化を試みる技術である。
【特許文献１】特開２００３−２９７１３号公報（平成１５年１月３１日  公開）
【特許文献２】特開２００５−１４１１９０号公報（平成１７年６月２日  公開）
【発明の開示】
【発明が解決しようとする課題】
【０００８】
しかしながら、いずれの特許文献も色ずれを防止するために、ＲＧＢ毎にいちいちＬＵＴを用意する必要があり、色ずれを防止するためのメモリ量が大きい、という第１の問題と、色ずれ低減の程度が低い、という第２の問題がある。
【０００９】
なお、メモリ量が大きいという第１の問題についてさらに説明すると、一般に液晶モジュールは、コントロール回路ＩＣの内部回路にγテーブルおよびＤＡコンバータを備えている。γテーブルとは、階調と電圧との関係を決めるものであり、オーバーシュート駆動に対応しない液晶モジュールもγテーブルを備えている。つまり、表示を行なうために、γテーブルは必ず必要なものである。このγテーブルはディスプレイの表示品位を向上させるために、γテーブルは、画像表示の原色ごとに設けられていることが好ましい。しかしながら、各色個別のγテーブルを持たせた場合に、オーバーシュート駆動しようとすると、ＬＵＴが色毎に必要になり、メモリが増大する。これが上記の第１の問題である。
【００１０】
本発明は、これらの問題に鑑みてなされたものであり、その目的は、色ずれを防止しつつ、メモリ量を削減した駆動回路および駆動回路を備えた液晶表示装置を提供することと、色ずれ低減の程度が大きい駆動回路および駆動回路を備えた液晶表示装置を提供することである。
【課題を解決するための手段】
【００１１】
上記第１の課題を解決するために、本発明の駆動回路は、時分割された複数のフレームを用いてオーバーシュート駆動により画像表示を行なう液晶表示装置の駆動回路において、画像表示の原色毎に階調を電圧に変換する変換部と、現フレームの入力階調に対応する電圧、１フレーム前のフレーム終了時の階調に対応する電圧、およびこれらの電圧に基づきオーバーシュート駆動を行なう出力電圧、が対応付けて格納された第１テーブルと、第１テーブルを用いて出力電圧を求める第１演算部と、第１演算部にて求めた出力電圧を用いてオーバーシュート駆動を行った場合の現フレーム終了時の階調に対応する予測電圧が格納された第２テーブルと、第２テーブルを用いて予測電圧を求める第２演算部と、フレームメモリとを備えており、第１演算部は、画像表示の原色毎に出力電圧を求め、第２演算部は、画像表示の原色毎に予測電圧を求めることを特徴としている。
【００１２】
ここで、本明細書では、「オーバーシュート」を行き過ぎた電圧を印加するという意味で用いている。そのため、本明細書で用いている「オーバーシュート」という文言は、低輝度階調から高輝度階調へ遷移する場合の狭義のオーバーシュートだけでなく、高輝度階調から低輝度階調へ遷移する場合の狭義のアンダーシュートをも含む。つまり、本明細書における「オーバーシュート」は、過小な電圧を印加する狭義のアンダーシュートと、過大な電圧を印加する狭義のオーバーシュートとの両方を含む。
【００１３】
本発明の液晶表示装置の駆動回路は、時分割された複数のフレームを用いてオーバーシュート駆動により画像表示を行なうものである。さらに、この駆動回路は、変換部と、第１および第２テーブルと、第１および第２演算部と、フレームメモリと、を備えていると共に、第１演算部は、画像表示の原色毎に出力電圧を求め、第２演算部は、画像表示の原色毎に予測電圧を求めるものとなっている。
【００１４】
第１テーブルには、現フレームの入力階調（現フレームに新たに入力される階調）に対応する電圧（目標電圧）、および１フレーム前のフレーム終了時の階調（すなわち、現フレームの開始時の階調）に対応する電圧と、これらの電圧に基づきオーバーシュート駆動を行なう出力電圧と、が対応付けて格納されている。つまり、この第１テーブルは、通常のオーバーシュート駆動を行なうためのテーブルである。また、第１演算部は、この第１テーブルを用いて適切な出力階調を求める。一方、第２テーブルには、第１演算部にて求めた出力階調を用いてオーバーシュート駆動を行った場合の現フレーム終了時の予測電圧が格納されている。つまり、この第２テーブルには、第１演算部を用いて実際にオーバーシュート駆動を行なった場合の現フレーム終了時の階調に対応する予測電圧が格納されている。第２演算部は、この第２テーブルを用いて予測電圧を求める。
【００１５】
また、フレームメモリを用いて第２演算部が求めた予測電圧のデータを保持することができる。また、第１テーブル、および第２テーブルを参照することにより、出力電圧、予測電圧を求めることができる。
【００１６】
このような予測電圧を用いることにより、現フレーム終了時に目標電圧に到達しない場合、つまり、複数フレームかけて目標電圧に到達する場合でも、より正確にオーバーシュート駆動を行なうことができる。
【００１７】
特に、本発明の駆動回路では、画像表示の原色毎に階調を電圧に変換する変換部を備えており、第１演算部は、画像表示の原色毎に出力電圧を求め、第２演算部は、画像表示の原色毎に予測電圧を求めている。つまり、色毎に別々に、オーバーシュート駆動、および、予測電圧の演算を行なっている。すなわち、予め画像表示の原色毎に階調を電圧に変換していることにより、第１テーブル、第２テーブルは、階調やキャパシタンスなどを扱う場合のようにいちいち色毎に設けなくても、色毎に出力電圧、予測電圧を求めてオーバーシュート駆動を行なうことができ、その分テーブルのメモリ量を減らすことができる。
【００１８】
また、本発明の駆動回路は、第２演算部が原色毎に求めた予測電圧のうち、最も現フレームの階調に対応する電圧への到達割合が低い予測電圧の色を選択する選択部と、選択部が選択した色の到達割合を求める第３演算部と、をさらに備え、第１演算部は、選択部にて選択されていない色に対して、第３演算部にて求めた到達割合になるように出力電圧を補正し、第２演算部は、選択部にて選択されていない色に対して、第３演算部にて求めた到達割合になるように予測電圧を補正する、ことが好ましい。
【００１９】
上記構成によれば、最適なテーブルを用いた場合に、実際に色毎のγ特性の違いにより応答特性に違いがある場合であっても、一番遅い色に合わせて他の色を補正することにより、より一層色ずれを防止することができる。
【００２０】
上記第２の課題を解決するために、本発明の駆動回路は、時分割された複数のフレームを用いてオーバーシュート駆動により画像表示を行なう液晶表示装置の駆動回路において、現フレームの入力階調、１フレーム前のフレーム終了時の階調、およびこれらの階調に基づきオーバーシュート駆動を行なう出力階調と、が対応付けて格納された第３テーブルと、第３テーブルを用いて出力階調を求める第４演算部と、第４演算部にて求めた出力階調を用いてオーバーシュート駆動を行った場合の現フレーム終了時の予測階調が格納された第４テーブルと、第４テーブルを用いて予測階調を求める第５演算部と、第５演算部にて求めた予測階調を保持するフレームメモリと、を備えており、第４演算部は、画像表示の原色毎に出力階調を求め、第５演算部は、画像表示の原色毎に予測階調を求めることを特徴としている。
【００２１】
ここで、本明細書では、「オーバーシュート」を行き過ぎた電圧を印加するという意味で用いている。そのため、本明細書で用いている「オーバーシュート」という文言は、低輝度階調から高輝度階調へ遷移する場合の狭義のオーバーシュートだけでなく、高輝度階調から低輝度階調へ遷移する場合の狭義のアンダーシュートをも含む。つまり、本明細書における「オーバーシュート」は、過小な電圧を印加する狭義のアンダーシュートと、過大な電圧を印加する狭義のオーバーシュートとの両方を含む。
【００２２】
上記の構成によれば、色毎に予測階調を求めることができる。そのため、最も遅い色に合わせてその他の色の補正量を調整することができ、より一層色ずれ低減を図ることができる。
【００２３】
本発明の液晶表示装置は、上記いずれかに記載の駆動回路を備えている。
【発明の効果】
【００２４】
以上のように、本発明の駆動回路は、画像表示の原色毎に階調を電圧に変換する変換部と、現フレームの入力階調に対応する電圧、１フレーム前のフレーム終了時の階調に対応する電圧、およびこれらの電圧に基づきオーバーシュート駆動を行なう出力電圧、が対応付けて格納された第１テーブルと、第１テーブルを用いて出力電圧を求める第１演算部と、第１演算部にて求めた出力電圧を用いてオーバーシュート駆動を行った場合の現フレーム終了時の階調に対応する予測電圧が格納された第２テーブルと、第２テーブルを用いて予測電圧を求める第２演算部と、第２演算部にて求めた予測電圧を保持するフレームメモリと、第１演算部は、画像表示の原色毎に出力電圧を求め、第２演算部は、画像表示の原色毎に予測電圧を求めるようになっている。従って、色ずれを防止しつつ、メモリ量を削減した駆動回路を提供することができる。
【００２５】
また、以上のように、本発明の駆動回路は、時分割された複数のフレームを用いてオーバーシュート駆動により画像表示を行なう液晶表示装置の駆動回路において、現フレームの入力階調、１フレーム前のフレーム終了時の階調、およびこれらの階調に基づきオーバーシュート駆動を行なう出力階調と、が対応付けて格納された第４テーブルと、第３テーブルを用いて出力階調を求める第４演算部と、第４演算部にて求めた出力階調を用いてオーバーシュート駆動を行った場合の現フレーム終了時の予測階調が格納された第３テーブルと、第４テーブルを用いて予測階調を求める第５演算部と、第５演算部にて求めた予測階調を保持するフレームメモリと、を備えており、第４演算部は、画像表示の原色毎に出力階調を求め、第５演算部は、画像表示の原色毎に予測階調を求めている。従って、より一層色ずれを防止することができる。
【発明を実施するための最良の形態】
【００２６】
〔実施の形態１〕
本発明の一実施形態について説明する。
【００２７】
〔構成〕
本実施の形態の液晶表示装置は、いわゆるオーバーシュート（ＯＳ）駆動を行なう装置である。ここで、オーバーシュート駆動とは、短時間に過大な信号電圧を液晶セルに印加する駆動方式であり、このオーバーシュート駆動により、液晶物質の分子配列の変化を加速して、動画の表現性を向上させることができる。
【００２８】
ここで、本明細書では、「オーバーシュート」を行き過ぎた電圧を印加するという意味で用いている。そのため、本明細書で用いている「オーバーシュート」という文言は、低輝度階調から高輝度階調へ遷移する場合の狭義のオーバーシュート）だけでなく、高輝度階調から低輝度階調へ遷移する場合の狭義のアンダーシュートをも含む。つまり、本明細書における「オーバーシュート」は、過小な電圧を印加する狭義のアンダーシュートと、過大な電圧を印加する狭義のオーバーシュートとの両方を含む。
【００２９】
本実施の形態の液晶表示装置の駆動回路は、図１に示すように、ＤＡＣ−ＩＣ１から構成されている。本実施の形態のＤＡＣ−ＩＣ１は、時分割された複数のフレームを用いてオーバーシュート駆動により画像表示を行なう液晶表示装置の駆動回路である。なお、図１に示すＤＡＣ−ＩＣの構成は、一実施の形態にすぎず、例えば、駆動回路をドライバＩＣの内部に組み込んでもよいし、ガラス基板上に直接形成してもよい。
【００３０】
このＤＡＣ−ＩＣ１は、γ設定テーブル２、階調電圧データ変換部（変換部）３、通常ＯＳ演算部（第１演算部）４、予測ＯＳ演算部（第２演算部）５、フレームメモリ６、および、ＤＡコンバータ７を備えている。
【００３１】
γ設定テーブル２は、Ｒ、Ｇ、Ｂの原色毎のそれぞれのテーブル（γ設定）１０を有している。これらのテーブル１０は、入力階調に対応する電圧を、Ｒ、Ｇ、Ｂ毎に格納したテーブルである。
【００３２】
階調電圧データ変換部３は、γ設定テーブル２を参照して、Ｒ、Ｇ、Ｂそれぞれの入力階調データに対応する電圧を求める。
【００３３】
フレームメモリ６には、予測ＯＳ演算部５によって予測される現フレーム開始時における階調（つまり、予測された１フレーム前のフレーム終了時の階調）が格納される。
【００３４】
通常ＯＳ演算部４は、通常ＬＵＴ（電圧；第１テーブル）１４を備えている。この通常ＬＵＴ（電圧）１４には、フレームメモリ６に格納されている予測された現フレーム開始時における階調（１フレーム前のフレーム終了時の階調）に対応する電圧、および、現フレームに新たに入力される入力階調に対応する電圧（目標電圧）と、出力階調に対応する電圧（出力電圧）との対応関係が格納されている。通常ＯＳ演算部４は、通常ＬＵＴ１４を参照して、出力電圧を求め、ＤＡコンバータ７へ送る。
【００３５】
予測ＯＳ演算部５は、予測ＬＵＴ（電圧；第２テーブル）１５を備えている。この予測ＬＵＴ（電圧）１５には、フレームメモリ６に格納されている予測された現フレーム開始時における階調（１フレーム前のフレーム終了時の階調）に対応する電圧、および現フレームに新たに入力される入力階調に対応する電圧と現フレーム終了時における階調に対する電圧（予測電圧）が格納されている。予測ＯＳ演算部５は、予測ＬＵＴ１５を参照して、予測電圧を求め、フレームメモリ６へ出力する。つまり、予測ＬＵＴ１５には、通常ＯＳ演算部４にて求めた出力電圧を用いてオーバーシュート駆動を行なった場合の１フレーム後（現フレーム終了時）の予測電圧が格納されている。このような、予測ＯＳ演算部５、および予測ＬＵＴ１５を設けることにより、１フレーム期間内に目標階調（入力階調）に対応する電圧に到達しない場合でも、次フレーム以降もより正確なオーバーシュート駆動を行なうことができる。
【００３６】
フレームメモリ６は、１フレーム分の階調データを記憶することができる、ＦＩＦＯ（First-in First-out）方式のメモリである。したがって、フレームメモリ４はデータの入出力の同時処理を行なうことができるようになっている。このフレームメモリ４により、１フレーム分遅れた入力階調に対応する電圧を生成することができる。フレームメモリ６は、実際には、予測電圧を１フレーム期間保持する役割を有している。
【００３７】
ＤＡコンバータ７は、デジタルデータで表されている電圧の大きさをアナログデータ（印加電圧）に変換して、後段の図示しない液晶モジュールへ送る。
【００３８】
〔動作〕
(i) 入力階調データ（現フレームの階調；現フレームに新たに入力される階調）が階調電圧データ変換部３に入力されると、階調電圧データ変換部３は、この階調に対応する電圧（デジタルデータ）をＲ、Ｇ、Ｂ毎にγ設定テーブル２を参照して求め、階調を電圧に変換する。
【００３９】
(ii) これらの現フレームに新たに入力される入力階調に対応する電圧は、通常ＯＳ演算部４および予測ＯＳ演算部５へ入力される。この入力と共に通常ＯＳ演算部４および予測ＯＳ演算部５へ、色毎にフレームメモリ６から予測された現フレーム開始時における階調（１フレーム前のフレーム終了時の階調）に対応する電圧が入力される。
【００４０】
通常ＯＳ演算部４は、色毎に、現フレームに新たに入力される入力階調に対応する電圧、および予測ＯＳ演算部５が予想した現フレーム開始時における階調（１フレーム前のフレーム終了時の階調）に対応する電圧を受け取り、通常ＬＵＴ（電圧）１４を参照してオーバーシュート駆動を行なう出力階調に対応する出力電圧を求め、ＤＡコンバータ７へ出力する。
【００４１】
予測ＯＳ演算部５は、色毎に、予測ＯＳ演算部５自身によって予測した現フレーム開始時における階調（１フレーム前のフレーム終了時の階調）に対応する電圧、および現フレームに新たに入力される入力階調に対応する電圧から、予測ＬＵＴ（電圧）１５を参照して実際の到達階調（現フレーム終了時における階調）に対応する色毎の予測電圧を求め、フレームメモリ６へ出力する。
【００４２】
(iii) 次に、通常ＯＳ演算部４へ次フレームの入力階調に対応する電圧に対応する色毎の電圧が入力される。また、フレームメモリ６から上記予測電圧（現フレーム終了時における階調に対応する予測電圧）が通常ＯＳ演算部４および予測ＯＳ演算部５へ入力される。
【００４３】
つまり、通常ＯＳ演算部４は、色毎に、入力階調に対応する電圧、および１フレーム前のフレーム終了時の階調に対応する電圧を受け取り、出力階調に対応する色毎の出力電圧を求め、ＤＡコンバータ７へ出力する。
【００４４】
さらに、予測ＯＳ演算部５は、色毎に、次フレームの入力階調に対応する電圧と、１フレーム前のフレーム（つまり、上記の現フレーム）終了時の階調に対応する電圧とを受け取り、これらの電圧から予測電圧（次フレーム終了時における階調に対応する電圧）を色毎に求め、フレームメモリ６へ格納する。以下、同様の動作を繰り返す。
【００４５】
特に、本実施の形態では、入力階調を電圧に変換する階調電圧データ変換部３を設けて色毎に最適な電圧に変換し、オーバーシュート駆動を行なう回路全体をＤＡＣ−ＩＣ１で構成している。つまり、階調やキャパシタンス値の代わりに、電圧を用いてオーバーシュート駆動を行なっている。そのため、通常ＬＵＴ１４、および予測ＬＵＴ１５を一つずつ設けるだけで、最適なオーバーシュート駆動を行なうことができる。従って、メモリ量を減らすことができる。つまり、予め、階調電圧データ変換部３およびγ設定テーブル２を用いて、ＲＧＢの応答特性に合わせた電圧に変換することにより、１つずつの通常ＬＵＴおよび予測ＬＵＴを用いてオーバーシュート駆動を行なうことができる。
【００４６】
本実施の形態の液晶表示装置の駆動回路は、図１の構成に限られず、次の図２に示す構成でもよい。
【００４７】
図２では、図１の構成に加えて、さらに、ピクセル選択部２０、到達割合演算部２１、通常ＯＳ演算部４に備えられた補正演算部２２、および予測ＯＳ演算部５に備えられた補正演算部２３を有している。
【００４８】
ピクセル選択部２０は、目標階調（現フレームの入力階調）に対応する電圧に対して、最も到達割合が低い色（最も応答速度の遅い色）を、Ｒ、Ｇ、およびＢから選択する。つまり、ピクセル選択部２０は、予測ＯＳ演算部５からＲ、Ｇ、Ｂそれぞれの予測電圧を受け取り、これらのうち、最も目標階調（入力階調）から離れた色を選択し、その色の予測電圧を、現フレームの入力階調に対応する電圧と、１フレーム前のフレーム終了時の階調（現フレームの開始時の階調）に対応する電圧と共に到達割合演算部２１へ送る。
【００４９】
到達割合演算部２１は、ピクセル選択部２０から最も到達割合が低い色（最も応答速度の遅い色）の予測電圧、現フレームの入力階調に対応する電圧、および１フレーム前のフレーム終了時の階調（現フレームの開始時の階調）に対応する電圧から、到達割合を計算し、これを補正演算部２２・２３へ出力する。
【００５０】
補正演算部２２・２３は、上記で選択した最も到達割合が低い色以外の色の到達割合が上記の到達割合演算部２１から受け取った到達割合になるように、上記で選択した最も到達割合が低い色以外の色の電圧を補正する。
【００５１】
これにより、最適なＬＵＴを設けることにより、ＲＧＢ間の応答速度が異なる場合でも応答速度が一番遅い色に合わせることができ、色ずれをより低減することができる。
【００５２】
この点について図面を用いて説明すれば、図３に示すように、ＲＧＢの階調が同じであっても、色によって液晶印加電圧が異なる。そのため、応答速度が異なり色ずれの原因となる、という問題がある。例えば、図３では、１００から２００への階調の遷移において、Ｒは、印加電圧が１．４４から２．５４へ変化する一方、Ｇは、印加電圧が１．５６から２．８４へ変化する一方、Ｂは、印加電圧が１．６７から３．１３へ変化する。図２によれば、この問題を解決することができる。なお、ケースが限定されるが、図１の構成でもこの問題を解決することができる。
【００５３】
また、図示しないが、テーブル１０の内容を書き換える手段（不図示）を設け、この手段により、上記で選択した最も到達割合が低い色以外の色の到達割合が上記の到達割合演算部２１から受け取った到達割合になるように、テーブル１０を書き換えてもよい。
【００５４】
〔実施の形態２〕
本発明の別の実施形態について説明する。
【００５５】
〔構成〕
本実施の形態の駆動回路は、図４に示すように、通常ＯＳ演算部４１、予測ＯＳ演算部４２、およびフレームメモリ４３を備えており、入力階調（データ）を受け取って、この入力階調に基づき出力階調を求め、これを図示しないＤＡＣへ出力する回路である。
【００５６】
通常ＯＳ演算部４１は、三原色（Ｒ、Ｇ、Ｂ）それぞれに対応した通常ＬＵＴ（第３テーブル）４５を備えており、これらの通常ＬＵＴ４５を参照して出力を求める役割を有している。また、この通常ＬＵＴ４５には、１フレーム前のフレーム終了時の階調および現フレームの入力階調と、これらのデータに基づきオーバーシュート駆動を行なう出力階調との対応関係が格納されている。
【００５７】
予測ＯＳ演算部４２は、三原色（Ｒ、Ｇ、Ｂ）それぞれに対応した予測ＬＵＴ（第４テーブル）４６を備えており、これらの予測ＬＵＴ４６を参照して現フレーム終了後の実際の到達階調（１フレーム後の到達階調）を予測する役割を有している。また、この予測ＬＵＴ４６には、１フレーム前のフレーム終了時の階調および現フレームの入力階調と、実際の予測階調（到達階調）との対応関係が格納されている。
【００５８】
フレームメモリ４３は、実施の形態１と同様の働きを有しており、電圧の代わりに階調の入出力を行なう。
【００５９】
〔動作〕
次に、上記の駆動回路の動作について説明する。簡単のため、動作を具体的な数値を用いて説明する。ここでは、一例として、階調を０階調から１２８階調まで遷移させるとする。また、一例として、通常ＬＵＴ４５は、次の〔表１〕であるとし、簡単のため、単色とする。さらに、１フレーム期間で１２８階調まで到達しない場合について説明する。
【００６０】
【表１】
2009116123.tif 000003
【００６１】
さらに、一例として、予測ＬＵＴ４６は、次の〔表２〕であるとする。
【００６２】
【表２】
2009116123.tif 000004
【００６３】
(i) まず、１フレーム前の階調が０、現フレーム入力階調が１２８であるので、通常ＯＳ演算部４１および予測ＯＳ演算部４２に、入力階調（現フレームの階調）として前段から１２８階調が入力される。また、通常ＯＳ演算部４１および予測ＯＳ演算部４２に、１フレーム前の階調（１フレーム前のフレーム終了時の階調、現フレームの開始時の階調）としてフレームメモリ４３から０階調が入力される。
【００６４】
通常ＯＳ演算部４１は、０階調および１２８階調の入力を受けて、通常ＬＵＴ４５を参照して２００階調を求め、この２００階調を出力階調としてＤＡＣ（不図示）へ出力する。
【００６５】
予測ＬＵＴ演算部４２は、０階調および１２８階調の入力を受けて、予測ＬＵＴ４６を参照して６０階調を求め、この６０階調をフレームメモリ４３へ出力する。
【００６６】
(ii) 次フレームでは、通常ＯＳ演算部４１および予測ＯＳ演算部４２に、入力階調として１２８階調が入力される。また、通常ＯＳ演算部４１および予測ＯＳ演算部４２に１フレーム前の階調（１フレーム前のフレーム終了時の階調、現フレームの開始時の階調）としてフレームメモリ４３から６０階調が入力される。
【００６７】
通常ＯＳ演算部４１は、６０階調および１２８階調の入力を受けて、通常ＬＵＴ４５を参照して１５０階調を求め、この１５０階調を出力階調としてＤＡＣおよび予測ＯＳ演算部４２へ出力する。
【００６８】
予測ＬＵＴ演算部４２は、６０階調および１２８階調の入力を受けて、予測ＬＵＴ４６を参照して９０階調を求め、この９０階調をフレームメモリ４３へ出力する。以下、同様にして、１２８階調へ到達するまで、この動作を繰り返す。
【００６９】
本実施の形態では、通常ＬＵＴ４５、および予測ＬＵＴ４６を三原色（Ｒ、Ｇ、Ｂ）毎に設けているため、各色についてγ特性に応じた最適なＬＵＴ（例えば、最も応答速度が速くなるようなＬＵＴ）を用意することによって、色ずれの低減をすることができる。つまり、本実施の形態では、三原色（Ｒ、Ｇ、Ｂ）それぞれで独立した到達階調、出力階調を定めている。
【００７０】
本実施の形態の液晶表示装置の駆動回路は、図４の構成に限られず、次の図５の構成でもよい。
【００７１】
図５では、図４の構成に加えて、さらに、ピクセル選択部５０、到達割合演算部５１、通常ＯＳ演算部４１に備えられた補正演算部５２、および予測ＯＳ演算部４２に備えられた補正演算部５３を有している。
【００７２】
ピクセル選択部５０は、目標階調データ（現フレームの入力階調に対して、最も到達割合が低い色（最も応答速度の遅い色）を、Ｒ、Ｇ、およびＢから選択する。つまり、ピクセル選択部５０は、予測ＯＳ演算部４２からＲ、Ｇ、Ｂそれぞれの予測階調を受け取り、これらのうち、最も目標階調から離れた色を選択し、その色の予測階調を、現フレームの入力階調および１フレーム前の階調（１フレーム前のフレーム終了時の階調、現フレームの開始時の階調）と共に到達割合演算部５１へ送る。
【００７３】
到達割合演算部５１は、ピクセル選択部５０から受け取った予測階調、現フレームの階調、および１フレーム前の階調から、到達割合を計算し、これを補正演算部５２・５３へ出力する。例えば、実際の到達階調が９４で、目標階調が１２８で、１フレーム前の階調が６０階調である場合には、到達割合は、５０％となる。
【００７４】
それぞれの補正演算部５２・５３は、上記で選択した最も到達割合が低い色以外の色の到達割合が到達割合演算部５１から受け取った到達割合になるように、通常ＬＵＴ４５および予測ＬＵＴ４６を書き換える。
【００７５】
これにより、図４において通常ＬＵＴ４５および予測ＬＵＴ４６を最も応答速度が速くなるようなＬＵＴにすることにより、Ｒ、Ｇ、Ｂ間の応答特性が異なっている場合でも応答速度一番遅い色に合わせることができ、色ずれをより低減することができる。
【００７６】
また、図５において、補正演算部５２・５３が通常ＬＵＴ４５と予測ＬＵＴ４６のデータを書き換えるとしたが、ＬＵＴのデータを書き換えずに、上記で選択した最も到達割合が低い色以外の色のＬＵＴから求めた階調データを補正してもよい。
【産業上の利用可能性】
【００７７】
本発明の液晶表示装置の駆動回路は、例えばテレビ、携帯電話などの液晶表示装置を有する機器に用いることができる。
【図面の簡単な説明】
【００７８】
【図１】本発明の実施の形態１の駆動回路を示すブロック図である。
【図２】図１の変形例を示す駆動回路のブロック図である。
【図３】ＲＧＢ毎の階調と印加電圧の関係を示すグラフである。
【図４】本発明の実施の形態２の駆動回路を示すブロック図である。
【図５】図４の変形例を示す駆動回路のブロック図である。
【符号の説明】
【００７９】
１        ＤＡＣ−ＩＣ（駆動回路）
３        階調電圧データ変換部（変換部）
４        通常ＯＳ演算部（第１演算部）
５        予測ＯＳ演算部（第２演算部）
６        フレームメモリ
１４      通常ＬＵＴ（第１テーブル）
１５      予測ＬＵＴ（第２テーブル）
２０      ピクセル選択部（選択部）
２１      到達演算部５（第３演算部）
４１      通常ＯＳ演算部（第４演算部）
４２      予測ＯＳ演算部（第５演算部）
４５      通常ＬＵＴ（第３テーブル）
４６      予測ＬＵＴ（第４テーブル）
【図１】
2009116123.tif 000005
【図２】
2009116123.tif 000006
【図３】
2009116123.tif 000007
【図４】
2009116123.tif 000008
【図５】
2009116123.tif 000009